(57)【特許請求の範囲】
【請求項１】
撮像した画像を表示可能な表示部と、
操作部による操作が繰り返し行われた場合に、前記表示部に撮像に関するガイド画面と、撮像に関する設定画面との少なくとも一方を表示させる制御部と、を備え、
前記操作部による操作は画像の削除であり、
前記制御部は、前記画像の削除が繰り返し行われた場合に、前記表示部に撮像に関するガイド画面と、撮像に関する設定画面との少なくとも一方を表示させることを特徴とする撮像装置。
【請求項２】
前記設定画面および前記ガイド画面の少なくも一方に、削除対象である撮影画像データを重畳する重畳部を備える請求項１記載の撮像装置。
【請求項３】
前記重畳部は、削除対象である前記撮影画像データを画像処理して重畳する請求項２に記載の撮像装置。
【請求項４】
前記撮像装置の姿勢を検出する姿勢センサを備え、
前記制御部は、前記撮像装置が定められた姿勢であることを前記姿勢センサが検出したときに、前記表示部に前記ガイド画面と前記設定画面との少なくも一方を表示することを特徴とする請求項１から３のいずれか一項に記載の撮像装置。
【請求項５】
環境情報を取得する取得部を備え、
前記制御部は、前記環境情報に基づいて、前記設定画面および前記ガイド画面の少なくも一方の内容を変更する請求項１から４のいずれか一項に記載の撮像装置。
【請求項６】
前記制御部は、前記撮像装置が撮像のタイミングではないときに、前記表示部に前記ガイド画面と前記設定画面とのいずれか一方を表示することを特徴とする請求項１から５のいずれか一項に記載の撮像装置。
【請求項７】
前記制御部は、前記ガイド画面と前記設定画面とのいずれか一方を表示した後に、前記表示部に前記ガイド画面と前記設定画面とのいずれか他方を表示することを特徴とする請求項１から６のいずれか一項に記載の撮像装置。
【請求項８】
再撮影が許容される状況であるか否かを判断する判断部を備え、
前記制御部は、再撮影が許容される状況であると前記判断部が判断した場合に、前記ガイド画面を表示する請求項１から７のいずれか一項に記載の撮像装置。
【請求項９】
前記判断部は、撮影画像が撮影された時と削除指定された時の間隔が、予め定められた時間以内である場合に、再撮影が許容される状況であると判断する請求項８に記載の撮像装置。
【請求項１０】
前記判断部は、ユーザに対して再撮影の意思を問う問合せに対する入力を受け付けた場合に、再撮影が許容される状況であると判断する請求項８に記載の撮像装置。
【請求項１１】
前記操作部による操作は画像の再生であり、
前記制御部は、前記画像の再生が繰り返し行われた場合に、前記表示部に撮像に関するガイド画面と、撮像に関する設定画面との少なくとも一方を表示させることを特徴とする請求項１および請求項４から８のいずれか一項に記載の撮像装置。
【請求項１２】
撮影場所のイベントを検出するイベント検出部を備え、
前記制御部は、前記表示部に前記ガイド画面を表示するときに、前記イベントの情報に関連したガイドを表示することを特徴とする請求項１から１１のいずれか一項に記載の撮像装置。
【発明の詳細な説明】
【技術分野】
【０００１】
本発明は撮像装置に関する。
【背景技術】
【０００２】
いったん撮影した画像をユーザが削除した場合に、削除された画像の撮影条件を集計、分析して、以降の撮影条件に反映させる撮像装置がある（特許文献１参照）。
［先行技術文献］
［特許文献］
［特許文献１］特開２００１−０８３５７８号公報
【発明の概要】
【発明が解決しようとする課題】
【０００３】
しかしながら、撮影条件を撮影装置側で一方的に変更した場合、撮像装置の使い勝手は良いものではなかった。
【課題を解決するための手段】
【０００４】
上記課題を解決すべく、本発明の第１態様として、撮像した画像を表示可能な表示部と、操作部による操作が繰り返し行われた場合に、表示部に撮像に関するガイド画面と、撮像に関する設定画面との少なくとも一方を表示させる制御部と、を備えたことを特徴とする撮像装置が提供される。
【０００５】
また、本発明の第２態様として、撮像した画像を表示可能な表示部と、画像が削除された場合に、表示部に撮像に関するガイド画面と、撮像に関する設定画面との少なくとも一方を表示させる制御部とを備えたことを特徴とする撮像装置が提供される。
【０００６】
上記の発明の概要は、本発明の必要な特徴の全てを列挙したものではない。これら特徴群のサブコンビネーションもまた発明となり得る。
【図面の簡単な説明】
【０００７】
【図１】カメラシステム１の要部断面図である。
【図２】カメラシステム１のブロック図である。
【図３】カメラシステム１の背面図である。
【図４】背面モニタ２１の表示内容を示す図である。
【図５】画像ファイル５０の構造を示す図である。
【図６】カメラ本体ＣＰＵ２７の制御手順を示す流れ図である。
【図７】カメラ本体ＣＰＵ２７の制御手順を示す流れ図である。
【図８】カメラ本体ＣＰＵ２７の制御手順を示す流れ図である。
【図９】背面モニタ２１の表示内容を示す図である。
【図１０】背面モニタ２１の表示内容を示す図である。
【図１１】カメラ本体ＣＰＵ２７の制御手順を示す流れ図である。
【図１２】背面モニタ２１の表示内容を示す図である。
【図１３】背面モニタ２１の表示内容を示す図である。
【図１４】問い合わせ内容の例を示す図である。
【図１５】カメラ本体ＣＰＵ２７の制御手順を示す流れ図である。
【図１６】制御プログラムを実行するコンピュータの斜視図である。
【発明を実施するための形態】
【０００８】
以下、発明の実施の形態を通じて本発明を説明するが、以下の実施形態は特許請求の範囲に係る発明を限定するものではない。また、実施形態の中で説明されている特徴の組み合わせの全てが発明の解決手段に必須であるとは限らない。
【０００９】
図１は、本実施形態に係るカメラシステム１の要部断面図である。本実施形態では、電子装置の一例として、カメラシステム１について説明する。カメラシステム１は、カメラ本体２と交換可能な撮影レンズ３を組み合わせて撮像装置として機能する、レンズ交換式一眼レフカメラである。
【００１０】
撮影レンズ３は、フォーカスレンズ、ズームレンズおよび防振レンズを含むレンズ群４、絞り５、カメラシステム１の振れを検出する角速度センサ６、レンズ群４を駆動する図示していない駆動装置等を備える。角速度センサ６は、少なくとも光軸に直交する２軸周りの角速度を検出する。駆動装置は、例えば振動波モータ、ＶＣＭにより構成される複数のモータを有し、フォーカスレンズを光軸方向に駆動し、防振レンズを光軸方向とは異なる方向に駆動する。
【００１１】
また、撮影レンズ３は、撮影レンズ３の全体を制御すると共に、カメラ本体２と協働するレンズＣＰＵ７を有する。
【００１２】
カメラ本体２は、撮影レンズ３からの光束を反射してファインダ光学系８に導く反射位置と、撮影レンズ３からの光束がＣＣＤまたはＣＭＯＳなどから構成される撮像素子９に入射するように退避する退避位置とで揺動するメインミラー１０を備える。
【００１３】
メインミラー１０の一部の領域は半透過領域となっており、カメラ本体２は、この半透過領域を透過した光束を焦点検出センサ１１へ反射するサブミラー１２を備える。サブミラー１２は、メインミラー１０に連動して揺動し、メインミラー１０が退避位置をとるときには、サブミラー１２も光束から退避する。なお、焦点検出センサ１１は、位相差方式により入射する光束の焦点状態を検出する。
【００１４】
反射位置にあるメインミラー１０で反射された光束は、焦点板１３、ペンタプリズム１４を介してファインダ光学系８へ導かれる。ファインダ光学系８は複数のレンズを含み、ユーザはファインダ光学系８により被写界を確認することができる。
【００１５】
ペンタプリズム１４を透過する光束の一部は測光センサ１５に導かれる。測光センサ１５は、撮影レンズ３へ入射する光束を複数の領域ごとに測光することにより、被写界の輝度分布を計測する。また、ペンタプリズム１４の上方にはＧＰＳ（Ｇｌｏｂａｌ Ｐｏｓｉｔｉｏｎｉｎｇ Ｓｙｓｔｅｍ：全地球測位システム）モジュール１６を備える。
【００１６】
さらに、カメラ本体２は、撮影レンズ３のマウント部近傍で撮影レンズ３と干渉しない位置に、被写界の音を取り込むマイクロフォン１７を備える。また、カメラ本体２は、ファインダ光学系８の近傍に、ビープ音などを発するスピーカ１８を備える。
【００１７】
メインミラー１０が退避位置にあるときには、撮影レンズ３からの光束は、ローパスフィルタ１９を介して撮像素子９に入射する。撮像素子９の近傍には撮像基板２０が設けられており、撮像基板２０の後方には外部に面して背面モニタ２１が設けられている。
【００１８】
また、カメラ本体２は、姿勢センサ２２を備える。姿勢センサ２２は、カメラシステム１の姿勢を検出する。具体的には、カメラシステム１が横向きに構えられているのか、縦向きに構えられているのか、さらには、ユーザが背面モニタ２１を視認しやすい姿勢である前傾姿勢であるのか等の姿勢を検出する。
【００１９】
図２は、本実施形態に係るカメラシステム１のブロック図である。図１と共通の要素には同じ参照番号を付して重複する説明を省く。
【００２０】
撮像基板２０は、撮像素子９を駆動する駆動回路２３、撮像素子９の出力をデジタル信号に変換するＡ／Ｄ変換回路２４、ＡＳＩＣで構成される画像処理制御回路２５および撮像素子９からの信号の高周波成分を抽出するコントラストＡＦ回路２６などを有している。
【００２１】
画像処理制御回路２５は、デジタル信号に変換された画像信号に対してホワイトバランス調整、シャープネス調整、ガンマ補正、階調調整などの画像処理を施すと共に、ＪＰＥＧなどの画像圧縮を行って画像ファイルを生成する。生成された画像ファイルは、二次記録媒体３４に記憶される。二次記録媒体３４は、カメラ本体２に対して着脱可能なフラッシュメモリなどの記録媒体であっても良いし、カメラ本体２に内蔵されるＳＳＤ（Ｓｏｌｉｄ  Ｓｔａｔｅ  Ｄｒｉｖｅ）などの記録媒体であっても良い。
【００２２】
画像処理を施された画像信号は、背面モニタ制御回路２８の制御により、背面モニタ２１に表示される。撮影直後に撮影された画像信号を所定時間表示すれば、二次記録媒体３４に記録された画像ファイルに対応する画像をユーザに視認させることができる。
【００２３】
また、撮像素子９が連続的に光電変換する被写界像を、二次記録媒体３４に記録することなく背面モニタ２１に逐次表示すればライブビュー表示を実現できる。ライブビュー表示を実行している場合、カメラシステム１は、被写界の映像をスルー画として認識し続けている。これにより、顔認識、笑顔検出等の画像処理を伴う撮影動作が実行できる状態になる。
【００２４】
さらに、撮像素子９が連続的に光電変換する被写界像を、例えばＭＰＥＧ、Ｈ．２６４などの動画圧縮処理を画像処理制御回路２５で施して二次記録媒体３４に記録すれば、動画撮影を実現することができる。このとき、マイクロフォン１７で収集した被写界の音声も圧縮処理して、動画データに同期させて記録する。生成される動画像のフレームレートは、例えば３０ｆｐｓなど、複数のフレームレートから選択されて設定される。
【００２５】
コントラストＡＦ回路２６は、撮像素子９からの撮像信号の高周波成分を抽出してＡＦ評価値信号を生成し、これが最大になるフォーカスレンズ位置を検出する。具体的には、画像処理制御回路２５から入力される画像信号から、バンドパスフィルタを用いて所定の高周波成分を抽出し、ピークホールド、積分等の検波処理を行ってＡＦ評価値信号を生成する。生成したＡＦ評価値信号は、カメラ本体ＣＰＵ２７に出力する。
【００２６】
レンズＣＰＵ７は、角速度センサ６で検出した手振れをキャンセルするように、撮影レンズ３内の防振レンズを光軸方向とは異なる方向に駆動して光学式手振れ補正を実現している。手振れ補正はこのような光学式手振れ補正に限らず、撮像素子９に駆動機構を付与して、光軸方向とは異なる方向に駆動して手振れをキャンセルする撮像素子駆動式手振れ補正を採用することもできる。
【００２７】
さらには、画像処理制御回路２５から出力された複数枚の画像間の動きベクトルを算出し、算出した画像間の動きベクトルをキャンセルするように画像読み出し位置を制御して手振れをキャンセルする電子式手振れ補正を採用することもできる。光学式手振れ補正および撮像素子駆動式手振れ補正は特に静止画撮影に好適であり、動画撮影にも適用される。電子式手振れ補正は動画撮影に好適である。これらの方式は、選択的、追加的に採用され得る。
【００２８】
測光センサ１５は、上述のように、撮影レンズ３へ入射する光束を複数の領域ごとに測光することにより被写界の輝度分布を計測するが、計測結果はカメラ本体ＣＰＵ２７に出力する。カメラ本体ＣＰＵ２７では、選択された測光モードに応じて露出値を算出する。測光モードとしては、明るい部分と暗い部分のバランスを取る分割測光モード、画面中央を適正露出とする中央重点測光モード、選択したフォーカスポイントの狭領域を適正露出とするスポット測光モードなどが選択され得る。
【００２９】
カレンダ部５４は、水晶発振子、計時用集積回路等を有しており、年月日時分秒といったカレンダ情報を保持する。カメラ本体ＣＰＵ２７は、カレンダ部５４から時間に関する情報を適宜検出することができる。ＧＰＳモジュール１６は、ＧＰＳ衛星からのＧＰＳ信号を受信してカメラ本体２が存在している緯度、経度、高度情報を算出する。カメラ本体ＣＰＵ２７は、ＧＰＳモジュール１６からカメラ本体２が存在している位置に関する情報を適宜検出することができる。
【００３０】
フラッシュＲＯＭ２９は、ＥＥＰＲＯＭ（登録商標）であり、カメラシステム１を動作させるプログラムのほか、各種調整値、設定値を記憶する記憶装置である。具体的には、ＡＦ調整データ、ＡＥ調整データ、製造時の年月日時間データ、設定スイッチの設定履歴などの設定値を記憶している。また、フラッシュＲＯＭ２９は、メニュー設定画面およびユーザガイド画面の所定回数分の使用履歴を記憶している。
【００３１】
フラッシュＲＯＭに格納する設定値のうち、ユーザが設定または変更する設定値は、背面モニタ２１に表示する設定画面のメニュー項目として用意されている。設定画面において、メニュー項目は、種類に応じて複数に分類され、さらにそれぞれの分類の中でその従属関係からツリー構造状に階層化されて、カメラ本体ＣＰＵ２７に管理されている。
【００３２】
なお、カメラシステム１は、上記設定値の種類と設定値の変更が及ぼす影響等をユーザに説明するガイド機能を有する。ガイド機能は、ユーザに対して説明する内容をガイド画面として保持している。ガイド画面は、メニュー項目と同様に、種類に応じて複数に分類され、さらにそれぞれの分類の中でツリー構造状に階層化されてカメラ本体ＣＰＵ２７に管理されている。ガイド画面からは、設定画面に以降して、撮影条件に関する設定値を設定することもできる。ただし、ガイド画面は、ユーザを誘導するものであって、カメラシステム１の撮影条件を設定するとは限らない。
【００３３】
ＲＡＭ３０は、フラッシュＲＯＭ２９に記憶されたプログラムが展開され、カメラ本体ＣＰＵ２７が高速にアクセスできるＤＲＡＭなどの高速ＲＡＭである。特に頻繁に参照される各種調整値、設定値などもフラッシュＲＯＭ２９からコピーされ、カメラ本体ＣＰＵ２７からのアクセスを容易にする。
【００３４】
背面モニタ制御回路２８は、上述のように画像処理された画像の他、フラッシュＲＯＭ２９から読み出したメニュー設定画面およびユーザガイド画面を背面モニタ２１へ表示する表示制御を行う。また、背面モニタ２１の表面にはタッチパネルセンサが積層されており、ユーザが背面モニタ２１のメニュー項目等を視認しつつタッチパネルセンサを操作したときには、その座標とその座標に対応して表示されていたメニュー項目をカメラ本体ＣＰＵ２７へ出力する。
【００３５】
姿勢センサ２２は、上述のように、カメラシステム１の姿勢を検出する。姿勢センサ２２は、簡単なものでは、フォトインタラプタの赤外光を、重力によって移動する小球が遮断するかにより一軸方向の姿勢を検出するセンサを組み合わせて構成される。カメラシステム１の姿勢として正確な角度まで検出したい場合には、３軸加速度センサなどが用いられる。特に本実施形態においては、ユーザが背面モニタ２１を視認しやすい姿勢である前傾姿勢であるか否かが検出できればよい。方位センサ３３は、２軸または３軸の磁気センサを組み合わせて形成され、カメラシステム１がどの方向を向いているかを検出する。
【００３６】
イベント情報取得部３１は、ネットワークを介して特定の施設で開催されるイベント情報を取得する。イベント情報取得部３１は、無線ＬＡＮ等のネットワーク接続部と、特定の施設におけるイベント情報をネットワーク上から取得するプログラムとを有してもよい。また、イベント情報取得部３１は、ネットワーク上で公開された情報にアクセスするに限らず、撮影者が予め構築したイベント情報に関するデータベースにアクセスするようにしても良い。また、イベント情報取得部３１は、ネットワークに接続するのではなく、撮影者が例えばスケジュール情報としてフラッシュＲＯＭ２９に記憶させたデータベースにアクセスするように形成することもできる。
【００３７】
レリーズスイッチ３２は、２段式のスイッチである。ユーザがレリーズスイッチ３２を半押しすると、カメラ本体ＣＰＵ２７は、オートフォーカス、測光などの撮影準備動作を行う。さらにユーザがレリーズスイッチ３２を全押しすると、カメラ本体ＣＰＵ２７は、静止画、動画の撮影動作を開始する。
【００３８】
カメラ本体ＣＰＵ２７は、レンズＣＰＵ７と協働してカメラシステム１の全体を制御する。本実施形態において、カメラ本体ＣＰＵ２７は、設定画面およびユーザガイド画面の少なくとも一方を背面モニタ２１へ表示する制御を行う。
【００３９】
図３は、カメラ本体２の背面外観図である。他の図と共通の要素には同じ参照番号を付して重複する説明を省く。
【００４０】
カメラ本体２の背面には、ファインダ光学系８の後端および背面モニタ２１と、それらを挟んで、背面ダイヤル３５、十字ボタン３６、決定ボタン３７、再生モードボタン３８、削除ボタン３９、確認ボタン４０等が配される。
【００４１】
カメラ本体２は、再生モードボタン３８が押された場合に再生モードで動作する。再生モードにおいては、二次記録媒体３４に格納された撮影画像データが背面モニタ２１に表示される。この状態で背面ダイヤル３５を回転させることにより、背面モニタ２１に表示される撮影画像が順次切り替わる。このように、背面ダイヤル３５は、画像を選択する選択部を形成する。
【００４２】
再生モードにおいて背面モニタ２１にある画像が表示されている場合に、削除ボタン３９を押すと、当該画像を、カメラ本体２に装填された二次記録媒体３４から削除できる。ただし、一動作で画像削除が完了すると、誤操作により撮影画像データが削除される場合が生じる。そこで、削除ボタン３９に続いて確認ボタン４０が押された場合に削除が実行される。
【００４３】
なお、十字ボタン３６は、上下左右の４箇所に個別にオン／オフするスイッチを有する。これにより、例えば、背面モニタ２１に二次元的に配置された画像または選択肢を選択する場合に十字ボタン３６を使用できる。また、十字ボタン３６に含まれる４つのスイッチに、一時的に個別の機能を割り当てる場合もある。
【００４４】
決定ボタン３７は、十字ボタン３６により選択した選択肢等を決定旨の指示を入力する場合に押される。これにより、確認ボタン４０の場合と同様に、一動作で何らかの動作が確定することを防止している。
【００４５】
図４は、カメラ本体２が再生モードになった場合に、背面モニタ２１に表示される表示画像のひとつを例示する図である。図示の例では、背面モニタ２１に、複数の撮影画像データに対応する複数の縮小画像４９が表示されている。複数の縮小画像４９は、例えば図中の一点鎖線で示すように撮像順に配列される。
【００４６】
背面モニタ２１に表示された複数の縮小画像４９に対して、ユーザは背面ダイヤル３５を操作することにより、図中に点線で示す選択枠４３を、図中に一点鎖線で示す撮影順に移動させる。これにより、ひとつの縮小画像４９に対応した撮影画像データが特定される。この状態で削除ボタン３９を押すことにより、その縮小画像４９に対応した撮影画像データの削除が指示される。
【００４７】
背面モニタ２１において、上記のようにしてユーザから削除を指示された画像データＡ〜Ｅの縮小画像４９には、図中に実線で示すように表示形態が変化した選択枠４３が各々に付加される。更に、ユーザが、削除すべき撮影画像データＡ〜Ｆを全て特定した後に確認ボタン４０を押すと、撮影画像データが削除される。このように、ユーザは、選択した縮小画像４９に対応する撮影画像データＡ〜Ｆを一括して削除できる。
【００４８】
なお、上記の例では、背面モニタ２１に複数の縮小画像４９を表示させて、削除する画像を指示する例を示した。しかしながら、細部を確認しながら削除すべき画像を特定できるように、背面モニタ２１全体にひとつの画像を表示するようにしてもよい。この場合は、例えば、画像毎に削除ボタン３９および確認ボタン４０を押して、撮影画像データをひとつずつ削除する。
【００４９】
図５は、カメラシステム１で生成される画像ファイル５０の構造を示す図である。画像ファイル５０は、タグデータ５１、サムネイル画像データ５２および本画像データ５３を格納する。
【００５０】
本画像データ５３は、カメラシステム１により撮影された撮影画像データに相当する。これに対して、サムネイル画像データ５２は、本画像データ５３よりも低い解像度、色深度等を有する。これにより、カメラシステム１が格納した複数の本画像データ５３を一覧表示する場合に、取り扱いを容易にしている。
【００５１】
タグデータ５１は、本画像データ５３を撮影したカメラシステム１の仕様、撮影条件等を格納する。また、本画像データ５３のファイルフォーマットとしてＪＰＥＧ（Ｊｏｉｎｔ  Ｐｈｏｔｏｇｒａｐｈｉｃ  Ｅｘｐｅｒｔｓ  Ｇｒｏｕｐ）フォーマットが採用された場合、タグデータ付きの画像ファイルは、ＥＸＩＦファイルとして規定された情報を含む。
【００５２】
より具体的には、本画像データ５３を撮影したカメラシステム１のメーカ、仕様、ファームウエアの版数、開放Ｆ値等の基本情報の他、撮影時の露出時間、Ｆ値、ＩＳＯ値、焦点距離、撮影日時等の撮影条件情報が記録される。更に、カメラシステム１の、カレンダ部５４、姿勢センサ２２、方位センサ３３、ＧＰＳモジュール１６、イベント情報取得部３１等が検出した日時、姿勢、方位、位置、イベント等に関する撮影環境情報をタグデータ５１に付加して記録できる。
【００５３】
カメラシステム１において、レリーズボタンが半押しされ、撮影条件が固定された状態になった時点でタグデータ５１が生成される。また、カメラシステム１において、レリーズボタンが半押しから全押しにされた場合、生成されたタグデータ５１は、本画像データ５３と共に画像ファイル５０に格納される。よって、撮影画像データを含む画像ファイルには、上記の撮影環境情報および撮影条件情報も含まれている。
【００５４】
図６は、カメラシステム１においてカメラ本体ＣＰＵ２７が実行する制御手順を示す流れ図である。カメラ本体ＣＰＵ２７は、カメラシステム１の電源がオンになっている間、すでに撮像されて保存されていた撮影画像に対して削除すべき旨の指定がなされたか否かを判断する（ステップＳ１０１）。
【００５５】
なお、カメラ本体ＣＰＵ２７は、複数の画像が削除された場合に、ステップＳ１０１の判断を「ＹＥＳ」としてもよい。ここで、「複数の撮影画像データが削除された」ことの一例として、一度の再生モードに入ってから抜けるまでの間に予め定められた数の画像が削除された場合がある。また、予め定めた閾値時間、例えば５分間の間に複数の撮影画像の削除が指定された場合、すなわち削除の動作が繰り返し行われている場合に、複数の撮影画像データが削除されたと判断してもよい。
【００５６】
ここで、予め定められる時間は、設定画面において、背面表示部に表示された選択肢から、十字ボタン３６および決定ボタン３７を含む選択部を用いてユーザが選択してもよい。また、予め定められた数も、設定画面において、背面表示部に表示された選択肢から、十字ボタン３６および決定ボタン３７を含む選択部を用いてユーザに選択させてもよい。
【００５７】
撮影画像データが削除されたことを検出した場合（ステップＳ１０１：ＹＥＳ）、カメラ本体ＣＰＵ２７は、削除が指示された撮影画像データを再表示用に一時保存する（ステップＳ１０２）。二次記録媒体３４の容量に余裕がある場合、カメラ本体ＣＰＵ２７は、削除された撮影画像データをそのまま残し、当該撮影画像データの各々に削除が指示されていることを示すフラグを立ててもよい。
【００５８】
また、二次記録媒体３４の容量に余裕がない場合、カメラ本体ＣＰＵ２７は、画像ファイル５０から本画像データ５３を削除し、サムネイル画像データ５２およびタグデータ５１を一時保存してもよい。これにより、後述する問い合わせをする場合に、問い合わせ対象の画像をユーザに対して表示できる。
【００５９】
その後、カメラ本体ＣＰＵ２７は、カメラ本体２が撮影態勢にあるか否かを予測する（ステップＳ１０３）。即ち、カメラ本体ＣＰＵ２７は、例えば、ユーザによりレリーズスイッチ３２が半押しされた場合には、カメラ本体ＣＰＵ２７は、カメラシステム１が撮影態勢にあると予測する（ステップＳ１０３：ＹＥＳ）。
【００６０】
カメラ本体ＣＰＵ２７は、カメラシステム１が撮影態勢にあると判断した場合（ステップＳ１０３：ＹＥＳ）、ＧＰＳモジュール１６および方位センサ３３などの出力から削除された画像が撮影された位置と方位とがほぼ同じである場合に自動反映モード（ステップＳ１０４）を起動する。自動反映モードの内容については、他の図を参照して後述するが、自動反映モードにおいて、カメラ本体ＣＰＵ２７は、削除を指定された撮影画像について当該撮影画像のデータが生成された撮影時の撮影条件から削除理由を推測し、推定された削除理由に対応した撮影条件を算出する。
【００６１】
カメラ本体ＣＰＵ２７は、算出された撮影条件を設定し（ステップＳ１０５）、カメラシステム１に撮影を実行させる（ステップＳ１０６）。このように、撮影画像が削除された後にカメラシステム１が撮影態勢にある場合、カメラ本体ＣＰＵ２７は、自動反映モードをを用いて、撮影を完了させる。なお、ステップＳ１０６の撮影において、カメラ本体ＣＰＵ２７は、二次記録媒体３４の残り容量が逼迫している場合に、ステップＳ１０２において一時保存された撮影画像データを削除または圧縮した後に撮影を実行してもよい。
【００６２】
このように、カメラ本体ＣＰＵ２７は、カメラシステム１が撮影態勢にあると判断した場合は、ユーザによる操作を妨げることなく撮影を実行させる。ただし、ユーザが意図的に、撮影を優先しないことをカメラ本体２に設定している場合はこの限りではない。
【００６３】
また、カメラ本体ＣＰＵ２７は、例えば、ユーザが、撮影画像を背面モニタ２１に再生表示させる再生操作を繰り返していることを検出した場合に、カメラシステム１が撮影態勢にないと判断する（ステップＳ１０３：ＮＯ）。あるいは、カメラ本体ＣＰＵ２７は、姿勢センサ２２がカメラシステム１の傾きを判定して、カメラシステム１が撮影態勢にはないと判断する（ステップＳ１０３：ＮＯ）。更に、カメラ本体ＣＰＵ２７は、ユーザが十字ボタン３６を操作している場合、背面モニタ２１のタッチパネルセンサを操作している場合、即ち、レリーズスイッチ３２とは異なるものが操作されている場合に、カメラシステム１は撮影態勢ではないと判断する。
【００６４】
カメラ本体ＣＰＵ２７は、撮影画像の削除後にカメラシステム１が撮影態勢にないと判断した場合（ステップＳ１０３：ＮＯ）、次に、削除された撮影画像の再撮影が許容される状況か否かを判断する（ステップＳ１０８）。
【００６５】
例えば、カメラ本体ＣＰＵ２７は、削除された撮影画像の画像ファイル５０のタグデータ５１から、当該画像の撮影日時を参照する。そして、カメラ本体ＣＰＵ２７は、現在の日時と削除した撮影画像の撮影日時が近い場合、例えば１時間以内の場合には、カメラシステム１が削除画像の撮影環境に近い状態にあり、削除画像の再撮影が許容されると判断する（ステップＳ１０８：ＹＥＳ）。一方、カメラ本体ＣＰＵ２７は、削除画像の撮影日時と現在の日時とが大きく隔たっている場合には、削除画像の撮影対象を再撮影することはもはや許容されないと判断する（ステップＳ１０８：ＮＯ）。
【００６６】
なお、カメラ本体ＣＰＵ２７は、削除画像のタグデータ５１から参照した撮影位置の情報と、ＧＰＳモジュール１６から参照した現在位置の情報とを比較することによっても、再撮影が許容されるか否かを判断できる。また、カメラ本体ＣＰＵ２７は、削除画像のタグデータ５１から参照したイベント情報と、イベント情報取得部３１から参照したイベントの内容、イベント開始時刻、イベント終了時刻等の情報とを比較することによっても、再撮影が許容されるか否かを判断できる。
【００６７】
また更に、カメラ本体ＣＰＵ２７は、更に、方位センサ３３による方位情報、天候、季節等、他の情報を参照してもよいし、これらの情報を併せて再撮影が許容されるか否かを判断してもよい。更に、ユーザからの再撮影の指示を受け付ける受付部を設けてもよい。
【００６８】
カメラ本体ＣＰＵ２７は、上記のようにして再撮影が許容されると判断した場合（ステップＳ１０８：ＹＥＳ）に、ガイドモード（ステップＳ１０９）を起動する。ガイドモードにおいて、カメラ本体ＣＰＵ２７は、削除を指定された撮影画像について、当該撮影画像のデータが生成された撮影時の撮影条件から削除理由を推測して、推測した削除理由を反映した表示画面を準備して背面モニタ２１に表示する。ここで、推測できる削除理由が複数ある場合には、複数のガイドを順次起動してもよい。
【００６９】
これにより、カメラ本体ＣＰＵ２７は、ユーザに対して再撮影を奨めると共に、検出した環境情報および推測した削除理由に対応したガイド画面または設定画面を背面モニタ２１に表示する。これにより、カメラ本体ＣＰＵ２７は、推定した削除理由を解消または抑制すべく撮影条件の変更するようにユーザを誘導する。
【００７０】
ガイドモードによるガイドの結果として撮影条件を設定する（ステップＳ１０５）。削除理由とユーザの意図とがいずれも反映された撮影条件で、削除画像の撮影対象を再撮影する（ステップＳ１０６）。また、カメラ本体ＣＰＵ２７は、上記のようにして再撮影が許容されないと判断した場合（ステップＳ１０８：ＮＯ）に、確認モード（ステップＳ１１０）を起動する。確認モードにおいて、カメラ本体ＣＰＵ２７は、削除された撮影画像の削除理由をユーザに問い合わせて、より精度の高い削除理由を収集する。これにより、カメラ本体ＣＰＵ２７は、カメラシステム１に設定された撮影条件の初期値に、削除理由をより高精度に反映させることができる。確認モードにおいて削除理由を確認された撮影画像は、二次記録媒体３４から完全に消去される（ステップＳ４０６）。
【００７１】
なお、カメラ本体ＣＰＵ２７は、ステップＳ１０６における撮影が終わった場合に、ステップＳ１０２において削除された後に一時保存された撮影画像が残っているか否かを調べる（ステップＳ１０７）。一時保存された撮影画像が残っている場合（ステップＳ１０７：ＮＯ）、カメラ本体ＣＰＵ２７は、カメラシステム１が撮影態勢にあるか否かを再び調べる（ステップＳ１０３）。また、カメラ本体ＣＰＵ２７は、残っている撮影画像がない場合（ステップＳ１０７：ＮＯ）、一連の制御を終了させる。
【００７２】
図７は、自動反映モードにおけるカメラ本体ＣＰＵ２７の制御手順を示す流れ図である。自動反映モードを開始する状況になった場合（図６、ステップＳ１０４）、カメラ本体ＣＰＵ２７は、まず、カメラシステム１が撮影をする周辺の環境に関する周辺環境情報を取得する（ステップＳ２０１）。周辺環境情報は、例えば、カレンダ部５４から取得した日時情報、方位センサ３３から取得したカメラシステム１の向き、ＧＰＳモジュール１６から取得した緯度、経度および高度、フラッシュＲＯＭ等から取得した地図情報、イベント情報取得部３１から取得したイベント情報等を含む。
【００７３】
次に、カメラ本体ＣＰＵ２７は、ステップＳ１０２において一時保存された削除画像のタグデータ５１から、削除を指定された画像の周辺環境情報を検索し、ステップＳ２０１において取得した周辺環境情報と類似する周辺環境情報を含む削除画像を抽出する（ステップＳ２０２）。更に、カメラ本体ＣＰＵ２７は、ステップＳ２０２において抽出した削除画像の撮影条件情報を参照して、当該画像の削除理由を推定する（ステップＳ２０３）。
【００７４】
更に、カメラ本体ＣＰＵ２７は、推定した削除理由から、当該削除理由が生じない撮影条件を算出して（ステップＳ２０４）、自動反映モードを終了する。これにより、カメラ本体ＣＰＵ２７は、削除理由が生じ難い撮影条件をカメラシステム１に設定して（図６、ステップＳ１０５）撮影を実行できる。よって、ステップＳ１０６において実行される撮影は、ユーザの撮影意図をよりよく反映したものとなる。
【００７５】
この場合に、カメラ本体ＣＰＵ２７は、カメラシステム１に現在設定されている撮影条件と、削除指示された画像の中から現在の周辺環境に一番近い環境で撮影された削除画像の撮影条件とを比較する。そして、カメラ本体ＣＰＵ２７は、現在の撮影条件と削除指示された画像の条件とが同じ場合には、現在の撮影条件で撮影された画像が、既に削除を指定された画像と同じ削除理由で後に削除指定される可能性が高いと判断して、異なる撮影条件を算出する。
【００７６】
例えば、カメラ本体ＣＰＵ２７は、カレンダ部５４から取得した現在の時刻が夕刻または夜であれば、撮影画像が暗かったことが削除理由であったと推定する（ステップＳ２０３）。そこで、カメラ本体ＣＰＵ２７は、現在の設定よりも低速秒時のシャッタ速度と、シャッタの低速秒時にあった絞り量とを算出する（ＣＰＵ２０４）。また、カメラ本体ＣＰＵ２７は、シャッタ秒時を低速秒時に設定したことに伴い手振れが発生しやすくなると判断して、カメラシステム１における手振れ補正機能を有効にしてもよい。これにより、夕刻または夜の撮影において生じがちな露出不足の発生を抑制できる。
【００７７】
また、カメラ本体ＣＰＵ２７は、ＧＰＳモジュール１６から取得した位置情報、方位センサ３３から取得した方位情報、フラッシュＲＯＭ２９等から取得した地図情報等に基づいて取得したカメラシステム１の周辺環境に基づいて削除が指定された画像の削除理由を推定する（ステップＳ２０３）。そして、カメラ本体ＣＰＵ２７は、例えば、地図情報により撮影対象が海岸、山岳地帯等の風景等であると推測できる場合に撮影画像に白飛び等が生じやすいことから、現在の周辺環境において測光センサ１５の測光結果から算出された露出値よりも、数段アンダーになる撮影条件を算出する（ステップＳ２０４）。これにより、露出過剰による白とび等の発生を抑制できる。
【００７８】
更に、カメラ本体ＣＰＵ２７は、ユーザが春の山にいる場合に、新緑の木々、葉の色を鮮やかにするように変更した、画像処理制御回路２５における設定値を算出して設定してもよい。また、ユーザが秋に山にいると判断すれば、紅葉の葉の色を鮮やかにするように変更した、画像処理制御回路２５における設定値を算出して設定してもよい。
【００７９】
また更に、カメラ本体ＣＰＵ２７は、ユーザが水族館に来ている場合に、屋内の水槽内の魚などを撮影するのに適した感度、ホワイトバランス、色味になるように、画像処理制御回路２５における設定値を算出して設定してもよい。また、カメラ本体ＣＰＵ２７は、イベント情報取得部３１から取得した情報に基づいて、ユーザが花火撮影に来ていると判断すれば、打ち上げ花火に最適な露出、花火を鮮やかに撮影できるように、画像処理制御回路２５における設定値を算出して設定してもよい。
【００８０】
なお、カメラ本体ＣＰＵ２７は、レリーズスイッチ３２が全押しされたときに、当初設定されていた撮影条件の設定値と、自動反映モードにより算出された撮影条件の設定値とで、それぞれ画像を撮影してもよい。また、カメラ本体ＣＰＵ２７は、ユーザが複数枚の画像の削除指示した後に、短時間で同じ撮影対象を再撮影する場合に、ユーザがその撮影対象の画像を残したいと希望していると判断し、カメラ本体ＣＰＵ２７は、レリーズスイッチ３２が半押しされてＡＥ、ＡＦ等の撮影準備をした後の数秒間（３〜５秒）に、当該撮影対象を動画で二次記録媒体３４に記録してもよい。これにより、当該撮影対象の画像を確実に残すことができる。
【００８１】
図８は、カメラ本体ＣＰＵ２７がガイドモードにおいて実行する制御手順を示す流れ図である。既に説明したように、ガイドモードは、削除を指定された撮影画像を取り直すことができる周辺環境にカメラシステム１がいるにもかかわらず、カメラシステム１が撮影態勢にない場合に起動される。ガイドモードにおいては、削除画像における撮影対象を適切な撮影条件で撮影することにより、よりユーザの意図に沿った撮影画像を得るべくガイドすることを旨とする。
【００８２】
既に説明した通り、ガイドモードが起動されたとき（図７、ステップＳ１０９）、カメラ本体ＣＰＵ２７は、カメラシステム１は撮影態勢にないが、削除を指定された撮影画像の撮影対象を再撮影することが許容される状況であることを確認している。そこで、カメラ本体ＣＰＵ２７は、スピーカ１８からビープ音を発する等して、ユーザの注意を喚起して、ユーザに再撮影の意志があるか否かを調べる（ステップＳ３０１）。
【００８３】
カメラ本体ＣＰＵ２７は、姿勢センサ２２の出力等を参照して、上記ビープ音に対してユーザがカメラシステム１を持ち上げて背面モニタを観察する等の反応を示した場合、再撮影の可能性があると判断する（ステップＳ３０１：ＹＥＳ）。しかしながら、カメラ本体ＣＰＵ２７は、ユーザからの反応がない場合に、例えば、ステップＳ３０１に入ってから予め定めた閾値時間が経過したことを契機として、ユーザに再撮影をする意志がないと判断して、ガイドモードを終了してもよい（ステップＳ３０１：ＮＯ）。
【００８４】
次に、カメラ本体ＣＰＵ２７は、カメラシステム１にブラケットモードが設定されているか否かを調べる（ステップＳ３０２）。カメラシステム１にブラケットモードが設定されている場合、カメラシステム１は、撮影条件を変化させつつ複数回の撮影をする。よって、カメラ本体ＣＰＵ２７は、撮影条件を絞り込むガイドは不要と判断して、ガイドモードを終了する（ステップＳ３０２：ＮＯ）。
【００８５】
カメラシステム１にブラケットモードが設定されていない場合（ステップＳ３０２：ＮＯ）、カメラ本体ＣＰＵ２７は、削除された撮影画像データについて、当該データが生成された撮影時の撮影条件に起因する削除理由を推定する（ステップＳ３０３）。次に、カメラ本体ＣＰＵ２７は、推定した削除理由に基づいて、背面モニタ２１に表示する表示画面を準備する（ステップＳ３０４）。カメラ本体ＣＰＵ２７が準備する表示画面は、ガイド画面と設定画面とを含む。削除理由と表示画面の関係については、例をあげて後述する。
【００８６】
図９は、表示画面のひとつであるガイド画面の一例を示す図であり、背面モニタ２１に、再撮影をガイドする旨のガイドメッセージ４１と、時間、場所、イベントという、その時点で選択可能なガイド項目４２を選択肢として表示している。ユーザは、十字ボタン３６と決定ボタン３７を用いて、いずれかのガイド項目４２を、カメラ本体ＣＰＵ２７に対して指示する。
【００８７】
再び図８を参照すると、カメラ本体ＣＰＵ２７は、準備した表示画面を背面モニタ２１に表示し（ステップＳ３０５）、ユーザの指示を受け付けるべく待機する（ステップＳ３０６）。カメラ本体ＣＰＵ２７は、予め設定された閾値時間が経過してもユーザからの指示が入力されない場合、ガイドモードが中断されたと判断してガイドモードを終了する（ステップＳ３０６：ＮＯ）。一方、ガイド項目４２を選択する等のユーザからの指示が入力された場合（ステップＳ３０６：ＹＥＳ）、カメラ本体ＣＰＵ２７は、次に表示する表示画面があるか否かを調べる（ステップＳ３０７）。
【００８８】
カメラ本体ＣＰＵ２７は、次に表示すべき表示画面がある場合（ステップＳ３０７：ＹＥＳ）、再び、表示画面を準備して（ステップＳ３０４）背面モニタ２１に表示する（ステップＳ３０５）。カメラ本体ＣＰＵ２７は、表示画面がもはや無い場合（ステップＳ３０７：ＮＯ）、ガイドに対するユーザの指示に基づいて変更した撮影条件を算出する（ステップＳ３０８）。
【００８９】
なお、上記ガイドモードにおいて、カメラ本体ＣＰＵ２７が背面モニタ２１に表示させる表示画面には、ガイド画面ではなく、設定画面が含まれる場合がある。図１０は、そのような設定画面のひとつを例示する図である。図示のように、設定画面には、設定項目４４と、設定値の選択候補４５が表示される。また、設定値は、現在設定されている選択候補に、他と区別できるマークが付されている。図示の例では、現在の設定値は矩形枠により包囲されている。
【００９０】
また、図９に示した例では、ガイド画面は、文字により選択肢を表示している。しかしながら、カメラ本体ＣＰＵ２７は、削除を指定された撮影画像に対して、ガイド項目を適用した結果を画像処理により生成して、背面モニタ２１全体表示してもよい。この場合、ガイド項目は、画像に重畳して表示される。これにより、ユーザは、ガイド画面の内容を、具体的且つ直感的に把握できる。
【００９１】
このように、設定画面は、カメラシステム１の設定モードにおいて背面モニタ２１に表示される設定メニューの画面と同じ内容を有し、選択する設定値の候補を直截に表示する。次に、ガイドモードにおけるカメラ本体ＣＰＵ２７の判断について具体的に説明する。
【００９２】
図９に示したガイド画面において、撮影時間が選択された場合、カメラ本体ＣＰＵ２７は、「撮影時刻」が選択されると、カレンダ部５４から現在の時刻を確認する。そして、夕暮れから夜間の暗い状況下での撮影か、それ以外の明るい状況下での撮影かを判断する。
【００９３】
なお、カメラ本体ＣＰＵ２７は、ＧＰＳモジュール１６からの位置情報、イベント情報取得部３１からのイベント情報を得て、それらの情報を加味してもよい。また、外部から情報を取得する機能を有する場合は、天候等の情報を加味してもよい。
【００９４】
次に、カメラ本体ＣＰＵ２７は、次の表示画面として、他のガイド画面を表示する。すなわち、カメラ本体ＣＰＵ２７は、上記の時刻に関する情報から、カメラシステム１が夕方または夕方または夜に撮影していると判断する。そこで、このような場合に次に表示すべきガイド画面を準備して（ステップＳ３０４）、背面モニタ２１に表示する（ステップＳ３０５）。
【００９５】
上記ステップＳ３０５において表示されるガイド画面には、撮影対象が暗い場合に有効な、例えば下記のようなガイド項目４２が表示される。
１．夕焼け／夕日
２．夜景／夜景ポートレート
３．ＩＳＯ感度／ノイズ
４．手振れ補正／赤め軽減／発光禁止
５．撮影テクニック
【００９６】
カメラ本体ＣＰＵ２７は、ユーザの十字ボタン３６の操作により、例えば夕焼け／夕日が選択された場合に、更に、背面モニタ２１に夕焼けまたは夕日のいずれかを選択するガイド画面を表示する。そして、いずれかが選択された場合に、ユーザの選択に応じてホワイトバランス及び露出を夕焼け用または夕日用に補正する。なお、カメラ本体ＣＰＵ２７は、ユーザにより細かい設定を行わせる設定画面を表示させてもよい。
【００９７】
カメラ本体ＣＰＵ２７は、ユーザの十字ボタン３６の操作により夜景／夜景ポートレートが選択された場合に、背面モニタ２１に夜景モードと夜景ポートレートのいずれかを奨めるガイド画面を表示する。カメラ本体ＣＰＵ２７は、夜景が選択された場合に、ストロボを発光禁止にすると共に、シャッタスピードを低速側に設定する設定画面を表示して、ユーザに設定させる。
【００９８】
一方、カメラ本体ＣＰＵ２７は、ガイド画面において夜景ポートレートが選択された場合に、ストロボを強制発光にすると共に、シャッタスピードを低速側に設定し、顔検出機能をＯＮにする。また、カメラ本体ＣＰＵ２７は、夜景ボートレート撮影では手振れが発生しやすいので、手振れ補正機能をオンにする等、前述の複数の手振れ補正方式を併用して手振れ補正制御を実行するようにしてもよい。
【００９９】
更に、カメラ本体ＣＰＵ２７は、夜景／夜景ポートレートが選択された場合に顔認識を実行し、顔認識ができれば夜景ポートレートとし、顔認識ができなければ夜景撮影と判断して、第２選択画面を省いてもよい。
【０１００】
カメラ本体ＣＰＵ２７は、ユーザの十字ボタン３６の操作によりＩＳＯ感度／ノイズが選択された場合に、背面モニタ２１にＩＳＯ感度またはノイズを選択するガイド画面を表示する。カメラ本体ＣＰＵ２７は、ＩＳＯ感度が選択された場合に、背面モニタに、ＩＳＯ感度を設定する設定画面を表示する。
【０１０１】
一方、カメラ本体ＣＰＵ２７は、ノイズが選択された場合に、現在選択されているＩＳＯ感度を表示すると共に、現在設定されているＩＳＯ感度よりも低いＩＳＯ感度を設定できるように、ＩＳＯ感度の設定画面を表示する。このような場合は、図１０に示したように、ガイド画面ではなく設定画面が表示される。
【０１０２】
カメラ本体ＣＰＵ２７は、ユーザの十字ボタン３６の操作により手振れ／赤目軽減／ストロボ発光禁止が選択された場合に、背面モニタ２１に、「手振れ」、「赤目軽減」、「ストロボ発光禁止」を選択するガイド画面を表示して、ユーザが選択した項目に応じて設定する。
【０１０３】
なお、この設定は、ユーザの操作履歴に応じて変更するようにしてもよい。具体的には、カメラ本体ＣＰＵ２７は、ユーザが過去の暗い状況での撮影において実行した設定の中から項目を選択し、あるいは、あまり操作したことがない項目、すなわち、設定に慣れていない項目を選択したりするようにすればよい。
【０１０４】
カメラ本体ＣＰＵ２７は、ユーザの十字ボタン３６の操作により撮影テクニックが選択された場合に、背面モニタ２１に、「背景をぼかす／被写体を止めて撮る」を選択するガイド画面を表示する。そして、カメラ本体ＣＰＵ２７は、「背景をぼかす」が選択された場合には絞り５の絞り値を小さくして、背景がぼけるように設定する。また、カメラ本体ＣＰＵ２７は、「被写体を止めて撮る」が選択された場合には、シャッタスピードを高速側に設定する。
【０１０５】
次に、撮影対象が明るい場合に有効なガイド内容について例示する。このような場合、カメラ本体ＣＰＵ２７は、背面モニタ２１に下記のようなガイド項目を表示させる。
１．アクティブＤ−ライティング
２．逆光
３．ストロボ発光禁止、
４．ＩＳＯ感度／連写／セルフタイマ
５．撮影テクニック
【０１０６】
カメラ本体ＣＰＵ２７は、ユーザの十字ボタン３６の操作により、アクティブＤ−ライティングが選択された場合に、背面モニタ２１にアクティブＤ−ライティングの効き具合を選択する設定画面を表示する。これにより、ユーザは、アクティブＤ−ライティングを有効にして、その効果を享受できる。
【０１０７】
なお、アクティブＤ−ライティングは、白とびおよび黒つぶれの発生を防止しつつ、撮影画像の階調を維持する撮影および画像処理の手法を意味する。すなわち、撮影する場合に、白とびが生じない低めの露出値で撮影をした後、低輝度から中間輝度の画素領域の輝度を持ち上げる階調補正処理を施して画像ファイルを生成する。これにより、明部の階調性を維持したまま、全体的には適正露出に近い画像を生成することができる。
【０１０８】
同様に、撮影する場合に、黒つぶれが生じない高めの露出値で撮影をした後、低輝度から中間輝度の画素領域の輝度を押し下げる階調補正処理を施して画像ファイルを生成する。これにより、暗部の階調性を維持したまま、全体的には適正露出に近い画像を生成することができる。
【０１０９】
このように、測光センサ１５の出力から算出された露出値に対して所定の段数分だけアンダーまたはオーバーに露出値を変更し、得られた画像に対して階調補正処理を施すことで、階調性の維持と全体的な適正露出を実現する撮影モードを、アクティブＤ−ライティングという。
【０１１０】
再びガイド項目について説明する。カメラ本体ＣＰＵ２７は、ユーザの十字ボタン３６の操作により「逆光」が選択された場合、ストロボに強制発光モードを設定するように制御し、ストロボ発光禁止が選択された場合にストロボの発光を禁止するように制御する。
【０１１１】
また、カメラ本体ＣＰＵ２７は、ユーザの十字ボタン３６の操作により「ＩＳＯ感度／連写／セルフタイマ」が選択された場合に、背面モニタ２１に、ストロボに強制発光モードを設定するように制御し、ストロボ発光禁止が選択された場合に、「ＩＳＯ感度」「連写」「セルフタイマ」を選択するガイド画面を表示して、選択された項目を設定する。
【０１１２】
なお、「ＩＳＯ感度／連写／セルフタイマ」のガイド項目では、表示内容をユーザの操作履歴に応じて変更するようにしてもよい。具体的には、カメラ本体ＣＰＵ２７は、ユーザが過去の朝、日中などの明るい状況での撮影において実行した設定の中から項目を選択し、あるいは、あまり操作したことがない項目、すなわち、設定に慣れていない項目を選択したりするようにすればよい。撮影テクニックについては、上記した撮影対象が暗い場合のガイド項目と共通なので重複する説明を省く。
【０１１３】
次に、図９に示したガイド画面において撮影場所が選択された場合に、次の段階で表示されるガイド画面について説明する。カメラ本体ＣＰＵ２７は、「撮影場所」が選択されると、ＧＰＳモジュール１６から現在の場所を取得する。また、地図情報等を参照して、海での撮影か、山での撮影か、屋内または屋外での撮影かを判断する。また、カメラ本体ＣＰＵ２７は、カレンダ部５４からの時間情報、イベント情報取得部３１からのイベント情報、更に、外部から取得した天候情報等を取得して加味してもよい。
【０１１４】
なお、位置および施設が判っていても、屋内か屋外かは不明瞭な場合がある。例えば、そこが学校であるとしても、校舎の中か校庭なのかの区別がつかない場合がある。また、水族館等でも、屋外施設が含まれる場合があるので、インドア／アウトドアについては、ガイド画面を表示してユーザに選択させるガイド画面を表示してもよい。
【０１１５】
また、カメラ本体ＣＰＵ２７は、インドアが選択された場合に、取得した位置の施設情報から、学校、水族館、結婚式場等、当該施設の用途に応じた設定画面またはガイド画面を表示してもよい。なお、地図情報等は、フラッシュＲＯＭ２９に記憶させてもよいし、インターネット回線等を通じて外部から取得してもよい。
【０１１６】
カメラ本体ＣＰＵ２７は、上記のようにして撮影場所に関する情報を取得すると、特定された撮影場所に対応したガイド画面または設定画面を背面モニタ２１に表示する。なお、カメラ本体ＣＰＵ２７は、上記、撮影場所に関する情報に加えて、カレンダ部５４から取得した日時情報を参照して、撮影条件を変化させてもよい。例えば、施設が学校であって、卒業式シーズンであれば、画像処理制御回路２５により色合いを抑え気味にしてもよい。
【０１１７】
同様に、カメラ本体ＣＰＵ２７は、アウトドアが選択された場合に、取得した位置情報（山、海、学校、鉄道等）に応じた撮影設定をガイドしてもよい。この場合も、カメラ本体ＣＰＵ２７は、カレンダ部５４から日時情報を取得して、季節、時間帯に応じた設定をしてもよい。
【０１１８】
更に、カメラ本体ＣＰＵ２７は、図９に示したガイド画面において「イベント」のガイド項目が選択されると、ＧＰＳも１６から取得した位置情報と、カレンダ部５４から取得した日時情報に基づいて、イベント情報取得部３１から、ユーザがいる場所のイベント情報を取得する。ここで、カメラ本体ＣＰＵ２７は、イベント候補が複数検出された場合に、複数のイベント情報を背面モニタ２１に表示して、ユーザに該当イベントを選択させてもよい。
【０１１９】
このように、本実施形態においては、ユーザが複数の画像の削除を指示した後に、ガイドモードにより削除理由と撮影状況に応じた撮影ガイドを実行する。これにより、ユーザの意図に沿った画質の画像が撮影しやすくなる。
【０１２０】
図１１は、カメラ本体ＣＰＵ２７が確認モードにおいて実行する制御手順を示す流れ図である。確認モード（図６、ステップＳ１１０）において、カメラ本体ＣＰＵ２７は、カメラシステム１が撮影態勢ではないので、ユーザに時間的余裕があると判断している。
【０１２１】
そこで、確認モードにおいては、カメラ本体ＣＰＵ２７は、削除を指定された撮影画像データについて、ユーザに削除理由を問い合わせて確認する（ステップＳ４０１）。なお、カメラ本体ＣＰＵ２７は、確認モードを起動した場合に、スピーカ１８からビープ音を発して、カメラシステム１が確認を求めていることに対してユーザの注意を喚起してもよい。
【０１２２】
図１２は、上記手順のステップＳ４０１を実行する場合に背面モニタ２１に表示される内容を例示する図である。背面モニタ２１には、削除を指示された複数の画像の縮小画像４９と、縮小画像４９に対する問い合わせ項目４６と、当該問い合わせ項目４６への応答としての選択肢４７とが併せて表示される。
【０１２３】
ユーザは、十字ボタン３６によりいずれかの選択肢４７に選択枠４８を移動させ、決定ボタン３７を押すことにより、当該画像Ｂに対して削除を指定した削除理由をカメラ本体ＣＰＵ２７に応答する。
【０１２４】
なお、背面モニタ２１に表示された複数の縮小画像４９のうち、問い合わせ項目４６の対象となる画像Ｂの縮小画像４９は、他の縮小画像４９よりも大きく表示される。また、既に問い合わせを済ませた画像Ａの縮小画像４９はグレイアウトされ、更に、次の縮小画像４９に対する問い合わせを開始するために縮小画像４９が下方にスクロールされて背面モニタ２１からフレームアウトされる。
【０１２５】
また、図示の例では、削除を指定されて一時保存されている画像を、縮小画像４９により表示している。しかしながら、カメラ本体ＣＰＵ２７は、背面モニタ２１全体に削除を指定された撮影画像を表示し、問い合わせ項目４６、選択肢４７等を撮影画像に重畳して表示してもよい。これにより、撮影画像が大きく表示され、ユーザにとって画像の細部を把握しやすくなる。
【０１２６】
再び図１１を参照すると、問い合わせを発したカメラ本体ＣＰＵ２７は、ユーザから応答があったか否かを調べる（ステップＳ４０２）。ここで、カメラ本体ＣＰＵ２７は、ユーザからの反応がない場合に、予め定めた閾値時間が経過したことを契機として、ユーザに応答の意志がないと判断して、確認モードを終了してもよい（ステップＳ４０２：ＮＯ）。
【０１２７】
一方、カメラ本体ＣＰＵ２７は、ユーザからの応答があった場合（ステップＳ４０２：ＹＥＳ）、削除対象の撮影画像データの各々について、当該撮影画像データが生成された撮影時の撮影条件に起因する削除理由を、ユーザが選択した選択肢４７により受け付ける（ステップＳ４０３）。
【０１２８】
更に、カメラ本体ＣＰＵ２７は、受け付けた削除理由の選択項目に対応して、カメラシステム１の撮影条件の初期値を調整する（ステップＳ４０４）。これにより、カメラシステム１の撮影条件に関する初期値は、削除理由発生が減じるように変更される。
【０１２９】
なお、調整された設定は、例えば、当該撮影データを撮影したときにカメラ本体２に装着されていた撮影レンズ３の種類と関連付けて保存されてもよい。これにより、撮影レンズ３を交換した場合でも、合焦に関する調整された設定値が保存され、再び当該撮影レンズ３が装着された場合に、ユーザの意図を反映した撮影条件を再設定する。
【０１３０】
次に、削除理由を確認した撮影画像に対して、救済モードが実行されてもよい（ステップＳ４０５）。救済モードについては、他の図を参照して後述する。
【０１３１】
問い合わせに対する応答が済んだ画像Ａの撮影画像データは、既に説明したように、二次記録媒体３４から完全に消去される（ステップＳ４０６）。ここで図６を参照すると判るように、カメラ本体ＣＰＵ２７は、削除理由が未確認の削除画像が残る限り、また、カメラシステム１が撮影態勢にならない限り（ステップＳ１０３：ＮＯ）、削除理由の確認を繰り返す（ステップＳ１１０）。
【０１３２】
換言すれば、カメラシステム１が撮影態勢になった場合には、確認モードは中断される。しかしながら、カメラシステム１の撮影態勢が解除された場合には、再び確認モードが起動される。
【０１３３】
上記のように、確認モードでは、図１１に示した一連の制御が実行される。しかしながら、更に、カメラ本体ＣＰＵ２７は、ユーザに対して削除理由を階層的に問い合わせてもよい。即ち、カメラ本体ＣＰＵ２７は、削除理由として例えばピントが選択された場合、ピントがどういう状態であったかを更に問い合わせてもよい。
【０１３４】
図１３は、削除理由について階層的な問い合わせをする場合に、背面モニタ２１に表示される内容の一例を示す図である。問い合わせの第一段階で例えばピントが選択された場合、カメラ本体ＣＰＵ２７は、ピントに係る第二段階の問い合わせを背面モニタ２１に表示させる。
【０１３５】
図示の例では、選択されたピントという削除理由について、更に、ピントがどのように合っていなかったのかを問い合わせる選択肢４７を表示している。この選択肢４７に対してユーザは、十字ボタン３６によりいずれかの選択肢４７に選択枠４８を移動させ、決定ボタン３７を押すことにより、当該画像Ｂに対して削除を指示した削除理由をカメラ本体ＣＰＵ２７に通知する。
【０１３６】
このように、問い合わせを２段階にすることにより、カメラ本体ＣＰＵ２７は、撮影画像データの削除理由をより高精度に把握できる。即ち、撮影画像データＢにおいて、たとえユーザの意図とは異なっていても、何らかの被写体にピントがあっていれば、カメラ本体ＣＰＵ２７は、削除の原因がピントにあることを十分に把握できない。
【０１３７】
しかしながら、削除原因がピントであり、ピントのずれが意図した位置よりも手前あるいは遠くであったことが判れば、ユーザの撮影意図をカメラ本体ＣＰＵ２７が把握できる。そこで、カメラ本体ＣＰＵ２７は、焦点検出センサ１１の出力に対してオフセットを設定させ、ユーザの意図した位置に合焦位置を近づけることができる。また、撮影レンズ３の経年変化等に起因する合焦のずれに対しても対応できる。
【０１３８】
また、削除原因がピントにあるが、ピントのずれ方がどちらともいえないという選択肢４７を受け付けた場合は、寧ろ、合焦の問題ではなく、手ブレまたは被写体ブレに原因があると解釈してもよい。このような場合、カメラ本体ＣＰＵ２７は、シャッタ速度が高くなるプログラムを設定する。
【０１３９】
図１４は、上記のような問い合わせ内容の一覧を例示する図である。図６に示した選択肢４７における色合い、明るさの各項目についても、図７に示した第二段階の問い合わせのように、それぞれ複数の選択肢４７を含む第二段階の問い合わせを用意できる。ユーザにこれらの問い合わせをしてユーザの選択を受け付けることにより、カメラ本体ＣＰＵ２７は、撮影条件の分析では検知できないユーザの撮影意図を抽出できる。
【０１４０】
即ち、色合いに対しては、例えば、冷たい色であったか、ぬるい色であったかを問い合わせることにより、オートホワイトバランスでは検出することができないユーザの色に対する意図を知ることができる。なお、ここで「冷たい色であった」とは、撮影画像の色温度がユーザの想定していた色温度よりも高かった場合に、撮影画像が青白く見えることを意味している。また、「ぬるい色であった」とは、撮影画像の色温度がユーザの想定していた色温度よりも低かった場合に、撮影画像が赤く見えることを意味している。即ち、上記のような問い合わせにより、色温度に対する知識がないユーザからも、色に関する撮影意図をカメラ本体ＣＰＵ２７に受け付けさせることができる。なお、ユーザの撮影に対する習熟度に応じて、撮影画像の彩度、明度等を直截に指定させてもよい。
【０１４１】
更に、明るさについても、ユーザの撮影意図に対して暗かったか明るかったかを問い合わせることにより、自動露出の適否では評価できないユーザの撮影意図を把握できる。また、仮にユーザが露出補正をしていた場合でも、ユーザの意図に対する補正量の適否をカメラ本体ＣＰＵ２７が把握でき、自動的に補正量を調整できる。
【０１４２】
また更に、カメラ本体ＣＰＵ２７は、ユーザの十字ボタン３６の操作により構図が選択された場合に、主要被写体の大きさ不足していたことが削除理由なのか、不要な被写体が写り込んでいたことが削除理由なのかをユーザに問い合わせてもよい。
【０１４３】
なお、例えば、問い合わせ項目４６として「被写体の表情」が選ばれ、更に、被写体の目つぶり、笑顔ではなかったこと等が選ばれた場合は、撮影条件の変更では対応できない。また、撮影済みの画像に対する画像処理で対応することもできない。そこで、カメラ本体ＣＰＵ２７は、ガイドモードが次に起動した場合（図６、ステップＳ１０９）に、カメラシステム１の目つぶり防止モードまたは笑顔検出モードを推奨するガイド画面を表示するようにしてもよい。
【０１４４】
なお、目つぶり防止モードは、僅かな時間間隔をおいて複数の撮影をすることにより、目つぶりのない映像を確保する機能を意味する。また、笑顔検出は、ライブモードにおけるスルー画から、画像上の笑顔の特徴を検出して撮影を実行する機能を意味する。
【０１４５】
同様に、カメラ本体ＣＰＵ２７は、削除理由が白とびまたは黒つぶれであった場合に、ガイドモードが起動したとき（図６、ステップＳ１０９）に、アクティブＤ−ライティングの利用を推奨するガイド画面を表示してもよい。
【０１４６】
また、問い合わせ項目および問い合わせ内容が上記の例に限られるわけではないことはもちろんである。問い合わせに対する削除理由の受付に係るユーザの手間が過剰にならない範囲で、より多くの問い合わせ事項について問い合わせてもよい。それにより、カメラ本体ＣＰＵ２７は、ユーザの撮影意図をより精密に反映させて撮影できる。
【０１４７】
また、問い合わせ事項の内容および表示方法が図示の例に限られないことはいうまでもない。例えば、問い合わせの対象となるひとつの撮影画像データを背面モニタ２１全面に表示して、問い合わせ事項を、撮影画像データにスーパインポーズして表示してもよい。また、アイコン、イラスト等、文字以外により表示してもよい。
【０１４８】
なお、上記した削除理由の確認は、削除を指定された複数の撮影画像データについて一枚ずつ実行してもよいし、例えば５分から１０分程度の予め定めた時間内に撮影した一群の画像をグループとして、そのうちの一枚を代表として問い合わせてもよい。例えば、カメラ本体ＣＰＵ２７は、複数の削除指定画像のうちの最後に撮影された画像を用いてもよい。
【０１４９】
また、１つのグループに対して問い合わせる場合には、当該グループに含まれる撮影画像データの撮影対象が同じであることが望ましい。よって、上記した撮影時刻に基づくグルーピングに加え、顔認識による分類、構図の類似度により分類してもよい。
【０１５０】
図１５は、カメラ本体ＣＰＵ２７が救済モードにおいて実行する制御手順を示す流れ図である。救済モードにおいて、カメラ本体ＣＰＵ２７は、救済の対象となる撮影画像が、グループ化された一群の撮影画像の一部であり、当該グループに属する他の画像が削除されずに残されているか否かを調べる（ステップＳ５０１）。
【０１５１】
救済対象と同じグループに属する他の画像が削除されていない場合（ステップＳ５０１：ＮＯ）、カメラ本体ＣＰＵ２７は、当該グループの撮影対象について、残すべき撮影画像をユーザが既に獲得していると判断して、救済モードを終了する。一方、同じグループに属する画像が全て削除されている場合（ステップＳ５０１：：ＹＥＳ）、カメラ本体ＣＰＵ２７は、当該撮影画像に対して確認された削除理由が、回復できるものか否かを判断する（ステップＳ５０２）。
【０１５２】
すなわち、既に説明した通り、撮影済みの画像における白とびまたは黒つぶれが削除理由であった場合、白とびまたはクリアランスやつぶれが生じた領域では、画像の階調を回復することができない。また、被写体の表情、目つぶりが削除理由である場合、被写体の表情を補正することはできない。よって、このような削除理由により削除された撮影画像については、補正を試みることなく救済モードを終了する（ステップＳ５０２：ＮＯ）。
【０１５３】
一方、削除理由が色、明るさ、構図等、画像処理で対応できる場合（ステップＳ５０２：ＹＥＳ）、カメラ本体ＣＰＵ２７は、削除理由を解消または軽減すべく、画像処理制御回路２５に画像処理を指示する（ステップＳ５０３）。更に、カメラ本体ＣＰＵ２７は、補正した撮影画像を、背面モニタ２１に表示して、ユーザに補正結果を提示する（ステップＳ５０４）。
【０１５４】
次に、カメラ本体ＣＰＵ２７は、補正した画像を再保存するか否かをユーザに問い合わせる（ステップＳ５０５）。ユーザが保存しないことを指示した場合（ステップＳ５０５：ＮＯ）、カメラ本体ＣＰＵ２７は、救済モードを終了する。一方、ユーザが保存することを指示した場合（ステップＳ５０５：ＹＥＳ）、補正画像を保存した後（ステップＳ５０６）に救済モードを終了する。
【０１５５】
このように、救済モードを実行することにより、いったんは削除を指定された撮影画像を、再撮影することなく救済することができる。次に、救済モードにおける画像処理を具体的に例示する。
【０１５６】
ある撮影画像に対する削除理由が色に係わる場合、カメラ本体ＣＰＵ２７は、背面モニタ２１に色相調整の設定画面を表示させる。これにより、ユーザは、十字ボタン３６を操作して、撮影画像の色を変化させることができる。また、カメラ本体ＣＰＵ２７は、同様に、ホワイトバランスの調整、肌色の彩度を調整する美肌補正の実行等をガイドしてもよい。更に、撮影画像を、モノクロ画像、セピア画像等に変換することを提案してもよい。
【０１５７】
カメラ本体ＣＰＵ２７は、上記画像処理後の撮影画像を補正画像として背面モニタ２１に表示させ（ステップＳ５０４）、保存するか否かをユーザに問い合わせる（ステップＳ５０５）。上記画像処理によりユーザの削除理由が解消または軽減された場合、ユーザは、補正画像を保存すべく指示する（ステップＳ５０５：ＹＥＳ）。これにより、いったんは削除された撮影画像を、再撮影することなく救済できる。
【０１５８】
また、ある撮影画像に対する削除理由が構図に係るものであり、更に、主要被写体が小さく写っていることが詳細な削除理由である場合、カメラ本体ＣＰＵ２７は、主要被写体を拡大する処理を画像処理制御回路２５に実行させる。この場合、カメラ本体ＣＰＵ２７は、画像の拡大率を十字ボタン３６の操作量に応じて拡大させてもよい。また、背面モニタ２１にタッチパネルセンサが積層されている場合は、タッチパネルセンサにより拡大箇所および拡大率を選択させてもよい。
【０１５９】
また、ある撮影画像に対する削除理由が構図に係るものであり、更に、不要な被写体が大きく写っていることが詳細な削除理由である場合、カメラ本体ＣＰＵ２７は、画像をトリミングする処理を画像処理制御回路２５に実行させる。この場合、カメラ本体ＣＰＵ２７は、十字ボタン３６によりトリミング範囲をユーザに指定させてもよい。あるいは、カメラ本体ＣＰＵ２７は、画像中の不要な被写体をぼかす処理を画像処理制御回路２５に実行させてもよい。
【０１６０】
また、ある撮影画像に対する削除理由が構図に係るものであり、更に、白とびまたは黒つぶれが詳細な削除理由である場合に、カメラ本体ＣＰＵ２７は、白とびまたは黒つぶれを抑制するγカーブ補正を画像処理制御回路２５に実行させてもよい。既に説明したように、白とびおよび黒つぶれを修復することはできないが、目立たなくすることができる。このような補正画像を保存するか否かは、背面モニタ２１に表示して（ステップＳ５０４）、ユーザの判断に任される（ステップＳ５０５）。
【０１６１】
なお、上記実施例においては画像削除が複数行われた場合について詳述したが、１枚の画像削除に上記実施例を適用しても構わない。また、上記実施例においては、レンズ交換式一眼レフカメラであるカメラシステム１を例として説明した。しかしながら、上記の制御は、コンパクトデジタルカメラ、ミラーレス一眼カメラおよびビデオカメラはもちろん、携帯電話などにも適用できる。
【０１６２】
図１６は、撮影条件設定プログラムを実行するパーソナルコンピュータ６０を模式的に示す図である。パーソナルコンピュータ６０は、ケーブル６１を介して、カメラシステム１と接続されている。
【０１６３】
パーソナルコンピュータ６０は、ディスプレイ６２、本体部６３およびキーボード６４を有する。本体部６３は、予め定められた画像処理を施した上でディスプレイ６２に画像を表示する表示制御部、カメラシステム１との通信により撮影画像データを格納する記録媒体、実行すべきプログラムをロードする場合に用いられる光学ドライブ６５等を備える。また、本体部６３は、ロードされたプログラムを実行するプロセッサを備える。
【０１６４】
上記のようなパーソナルコンピュータ６０は、プログラムを読み込ませることにより、図１５までに示した制御手順を実行する画像処理装置として動作する。また、パーソナルコンピュータ６０は、ケーブル６１を介して、カメラシステム１から撮影画像データを受け取って処理の対象とすることができる。
【０１６５】
よって、ユーザは、より大きなディスプレイ６２およびキーボード６４を用いて、撮影画像の選択および削除と、削除理由の問い合わせに対する応答ができる。ユーザの応答を受け付けて調整された撮影条件の設定値は、例えば、ケーブル６１を介してカメラシステム１に設定して実行させることができる。これにより、ユーザの意図を反映した撮影条件の下で、以降の撮影をすることができる。
【０１６６】
なお、カメラシステム１およびパーソナルコンピュータ６０の間の撮影画像データおよび設定情報の転送は、図示のようにケーブル６１を経由してもよいし、無線通信であってもよい。また、撮影画像データが格納された二次記録媒体を受け渡すことにより、撮影画像データおよび設定情報を受け渡してもよい。なお、撮影条件設定プログラムの実行は、カメラシステム１およびパーソナルコンピュータ６０に限られるものではなく、店頭あるいはオンラインのプリントサービス設備等で実行してもよい。
【０１６７】
以上、本発明を実施の形態を用いて説明したが、本発明の技術的範囲は上記実施の形態に記載の範囲には限定されない。上記実施の形態に、多様な変更または改良を加え得ることが当業者に明らかである。その様な変更または改良を加えた形態も本発明の技術的範囲に含まれ得ることが、特許請求の範囲の記載から明らかである。
【０１６８】
また、特許請求の範囲、明細書、および図面中において示した装置、システム、プログラム、および方法における動作、手順、ステップ、および段階等の各処理の実行順序は、特段「より前に」、「先立って」等と明示していない限り、あるいは、前の処理の出力を後の処理で用いない限り、任意の順序で実現し得ることに留意すべきである。特許請求の範囲、明細書、および図面中の動作フローに関して、便宜上「まず」、「次に」等を用いて説明したとしても、この順で実施することが必須であることを意味するとは限らない。
【符号の説明】
【０１６９】
１  カメラシステム、２  カメラ本体、３  撮影レンズ、４  レンズ群、５  絞り、６  角速度センサ、７  レンズＣＰＵ、８  ファインダ光学系、９  撮像素子、１０  メインミラー、１１  焦点検出センサ、１２  サブミラー、１３  焦点板、１４  ペンタプリズム、１５  測光センサ、１６  ＧＰＳモジュール、１７  マイクロフォン、１８  スピーカ、１９  ローパスフィルタ、２０  撮像基板、２１  背面モニタ、２２  姿勢センサ、２３  駆動回路、２４  Ａ／Ｄ変換回路、２５  画像処理制御回路、２６  コントラストＡＦ回路、２７  カメラ本体ＣＰＵ、２８  背面モニタ制御回路、２９  フラッシュＲＯＭ、３０  ＲＡＭ、３１  イベント情報取得部、３２  レリーズスイッチ、３３  方位センサ、３４  二次記録媒体、３５  背面ダイヤル、３６  十字ボタン、３７  決定ボタン、３８  再生モードボタン、３９  削除ボタン、４０  確認ボタン、４１  ガイドメッセージ、４２  ガイド項目、４３  選択枠、４４  設定項目、４５  選択候補、４６  問い合わせ項目、４７  選択肢、４８  選択枠、４９  縮小画像、５０  画像ファイル、５１  タグデータ、５２  サムネイル画像データ、５３  本画像データ、５４  カレンダ部、６０  パーソナルコンピュータ、６１  ケーブル、６２  ディスプレイ、６３  本体部、６４  キーボード、６５  光学ドライブ
【図１】
0005736715.tif 000002
【図２】
0005736715.tif 000003
【図３】
0005736715.tif 000004
【図４】
0005736715.tif 000005
【図５】
0005736715.tif 000006
【図６】
0005736715.tif 000007
【図７】
0005736715.tif 000008
【図８】
0005736715.tif 000009
【図９】
0005736715.tif 000010
【図１０】
0005736715.tif 000011
【図１１】
0005736715.tif 000012
【図１２】
0005736715.tif 000013
【図１３】
0005736715.tif 000014
【図１４】
0005736715.tif 000015
【図１５】
0005736715.tif 000016
【図１６】
0005736715.tif 000017